(57)【特許請求の範囲】
【請求項１】
固定具を用いて液晶モジュールをその側面から固定する液晶モジュール固定構造であって、
前記液晶モジュールを固定するための棒状の部材であって、一端が前記液晶モジュールの側面に挿入され、他端が前記液晶モジュールの前記側面から突出する態様で設けられた液晶モジュール固定部品と、
該液晶モジュール固定部品に設けられ、該液晶モジュールの平面に直交する方向から前記固定具を収容するための固定具収容穴とを備えてなることを特徴とする液晶モジュール固定構造。
【請求項２】
前記固定具は、ネジであることを特徴とする請求項１記載の液晶モジュール固定構造。
【請求項３】
前記液晶モジュールの両側に配置された外装化粧パネル及び基本フレームを備えた液晶ディスプレイに適用されることを特徴とする請求項２記載の液晶モジュール固定構造。
【請求項４】
前記外装化粧パネルは、前記液晶モジュールを係止してその固定位置を決めるリブを有することを特徴とする請求項３記載の液晶モジュール固定構造。
【請求項５】
前記基本フレームは、前記液晶モジュールの正面及び側面を囲むようにそれぞれ設けられた本体及び枠体と、該枠体から突出して設けられた台座と、該台座に設けられ前記ネジによって貫通されるネジ穴とを有することを特徴とする請求項３又は４記載の液晶モジュール固定構造。
【請求項６】
前記液晶モジュール固定部品は、前記台座に設けられた前記ネジ穴を貫通した前記ネジを収容するネジ固定形状部を有することを特徴とする請求項５記載の液晶モジュール固定構造。
【請求項７】
前記液晶モジュール固定部品は、前記台座に設けられた前記ネジ穴を貫通した前記ネジをさらに貫通させるネジ穴を有し、前記外装化粧パネルは、前記ネジ穴を貫通したネジを収容するネジ固定形状部を有することを特徴とする請求項５記載の液晶モジュール固定構造。
【請求項８】
前記液晶モジュール固定部品は、前記ネジが前記ネジ固定形状部に到達する前に設けられたすり鉢状の傾斜面を有し、該傾斜面により、前記ネジが前記ネジ固定形状部に収容される際に、前記液晶モジュールの方へ近づくように摺動可能であることを特徴とする請求項６又は７記載の液晶モジュール固定構造。
【請求項９】
前記すり鉢状の傾斜面の中心は、前記ネジの軸心よりも外側に配置され、かつ、前記すり鉢状の傾斜面の開口部は、前記ネジの外側を含むように形成されていることを特徴とする請求項８記載の液晶モジュール固定構造。
【請求項１０】
前記すり鉢状の傾斜面と前記枠体との間に配置され、前記固定部材に巻き付けられたスプリングを備え、該スプリングの弾性力により、前記ネジの進行と共に前記固定部材が前記ネジ固定形状部に挿入されるように構成されていることを特徴とする請求項９記載の液晶モジュール固定構造。
【請求項１１】
前記スプリングは、コイルスプリング又は板状スプリングであることを特徴とする請求項１０記載の液晶モジュール固定構造。
【請求項１２】
前記液晶モジュールと前記液晶モジュール固定部品との間に隙間が形成され、取り付けの際に支障がないように構成されていることを特徴とする請求項３乃至１１のいずれか１に記載の液晶モジュール固定構造。
【請求項１３】
前記液晶ディスプレイは、前記基本フレームの後部に配置された制御基板を備え、前記液晶モジュールを前記基本フレームに固定する第１のネジの固定方向と、前記制御基板を前記基本フレームに固定する第２のネジの固定方向と、前記基本フレームを前記外装化粧パネルに固定する第３のネジの固定方向とが同一方向であることを特徴とする請求項３乃至１２のいずれか１に記載の液晶モジュール固定構造。
【請求項１４】
固定具を用いて液晶モジュールをその側面から固定する液晶モジュール固定方法であって、
前記液晶モジュールを固定するための棒状の部材であって、一端が前記液晶モジュールの側面に挿入され、他端が前記液晶モジュールの前記側面から突出する態様で設けられた液晶モジュール固定部品を配置し、
該液晶モジュール固定部品に、該液晶モジュールの平面に直交する方向から前記固定具を収容するための固定具収容穴を形成したことを特徴とする液晶モジュール固定方法。
【請求項１５】
前記固定具は、ネジであることを特徴とする請求項１４記載の液晶モジュール固定方法。
【請求項１６】
前記液晶モジュールの両側に配置された外装化粧パネル及び基本フレームを備えた液晶ディスプレイに適用することを特徴とする請求項１５記載の液晶モジュール固定方法。
【請求項１７】
前記外装化粧パネルに、前記液晶モジュールを係止してその固定位置を決めるリブを設けることを特徴とする請求項１６記載の液晶モジュール固定方法。
【請求項１８】
前記基本フレームに、前記液晶モジュールの正面及び側面を囲む本体及び枠体と、該枠体から突出する台座と、該台座に設けられ前記ネジによって貫通されるネジ穴とを設けることを特徴とする請求項１７記載の液晶モジュール固定構造。
【請求項１９】
前記液晶モジュール固定部品に、前記台座に設けられた前記ネジ穴を貫通した前記ネジを収容するネジ固定形状部を設けることを特徴とする請求項１８記載の液晶モジュール固定方法。
【請求項２０】
前記液晶モジュール固定部品に、前記台座に設けられた前記ネジ穴を貫通した前記ネジをさらに貫通させるネジ穴を設け、前記外装化粧パネルに、前記ネジ穴を貫通したネジを収容するネジ固定形状部を設けることを特徴とする請求項１８記載の液晶モジュール固定方法。
【請求項２１】
前記液晶モジュール固定部品に、前記ネジが前記ネジ固定形状部に到達する前に配置されるすり鉢状の傾斜面を設け、該傾斜面により、前記ネジが前記ネジ固定形状部に収容される際に、前記液晶モジュールの方へ近づくように摺動可能であることを特徴とする請求項１９又は２０記載の液晶モジュール固定方法。
【請求項２２】
前記すり鉢状の傾斜面の中心を、前記ネジの軸心よりも外側に配置し、かつ、前記すり鉢状の傾斜面の開口部を、前記ネジの外側を含むように形成することを特徴とする請求項２１記載の液晶モジュール固定方法。
【請求項２３】
前記すり鉢状の傾斜面と前記枠体との間に、前記固定部材に巻き付けられたスプリングを配置し、該スプリングの弾性力により、前記ネジの進行と共に前記固定部材が前記ネジ固定形状部に挿入されるようにしたことを特徴とする請求項２２記載の液晶モジュール固定方法。
【請求項２４】
前記スプリングは、コイルスプリング又は板状スプリングであることを特徴とする請求項２３記載の液晶モジュール固定方法。
【請求項２５】
前記液晶モジュールと前記液晶モジュール固定部品との間に隙間を形成し、取り付けの際に支障がないようにしたことを特徴とする請求項１６乃至２４のいずれか１に記載の液晶モジュール固定方法。
【請求項２６】
前記液晶ディスプレイは、前記基本フレームの後部に配置された制御基板を備え、前記液晶モジュールを前記基本フレームに固定する第１のネジの固定方向と、前記制御基板を前記基本フレームに固定する第２のネジの固定方向と、前記基本フレームを前記外装化粧パネルに固定する第３のネジの固定方向とが同一方向であることを特徴とする請求項１６乃至２５のいずれか１に記載の液晶モジュール固定方法。
【発明の詳細な説明】
【０００１】
【発明の属する技術分野】
この発明は、液晶モジュールの固定構造及び固定方法に係り、さらに詳しくは、液晶モジュールを液晶ディスプレイに固定する液晶モジュールの固定構造及び固定方法に関する。
【０００２】
【従来の技術】
従来、液晶モジュールを液晶ディスプレイに固定する液晶モジュール固定構造は、液晶モジュールの表示領域の比率を向上させるために、ネジを受けるネジ固定形状部を液晶モジュールの側面に設置している。従って、液晶モジュールを固定する際には、液晶モジュールの側面に向かってネジをネジ固定形状部に差し込むことによって液晶モジュールを固定していた。
【０００３】
図５は、上述した従来の液晶モジュール固定構造に係る液晶ディスプレイの構成を示す斜視図である。
この従来例の液晶ディスプレイは、同図に示すように、主としてＥＭＩ対策のための放射ノイズを低減することを目的とした基本フレーム１１と、基本フレーム１１の後方に配置される制御基板１２と、基本フレームの前方に配置される液晶モジュール１３と、表示パネルとして液晶モジュール１３の前方に配置される外装化粧パネル１４とから構成されている。基本フレーム１１，制御基板１２，液晶モジュール１３，外装化粧パネル１４は、それぞれ略矩形の形状を有し、第１のネジ５ａ，第２のネジ５ｂ，第３のネジ５ｃで固定されている。
【０００４】
上記従来例の液晶モジュール固定構造において、液晶モジュール１３を液晶ディスプレイ装置に組み込む場合には、液晶モジュール１３の第１のネジ５ａは、液晶モジュール１３の画面表示面から見て、左右２方向から固定されている。この場合、手締めによるネジ固定の場合には、左側をネジ固定した後、液晶モジュール１３を１８０度回転してから右側をネジ固定するか、あるいは、組立作業者が左方向からネジ固定した後、右側に移動することによってネジ固定するか、又は、組立作業者が左方向からネジ固定した後、ドライバー等の固定工具を持ち替えたりして右方向からネジ固定している。また、制御基板１２を基本フレーム１１に固定する際、第１のネジ５ａの向きとは異なる方向（ほぼ直角の方向）から第２のネジ５ｂにて固定され、基本フレーム１１についても、外装化粧パネル１４に固定する際、第１のネジ５ａの向きとは異なる方向（ほぼ直角の方向）から第３のネジ５ｃにて固定されている。
【０００５】
【発明が解決しようとする課題】
しかしながら、上述した従来の液晶モジュール固定構造では、ネジ固定形状部が側面に設置されている液晶モジュールを、液晶ディスプレイ装置に組み込んだ結果、ネジ固定の方向が少なくとも３方向に及ぶ場合があり、ネジ固定を自動化する際には、自動化装置を各方向に設置する必要があった。そのため、余分な設備投資が発生したり、あるいは、必要以上の設備投資ができない場合は、自動化できない方向だけ手締めによるネジ固定を行う必要があり、組み立て作業性が著しく低下していた。
【０００６】
この発明は、上述した事情を鑑みてなされたもので、ネジ固定方向を所定の一方向に統一し、作業性を著しく向上させた液晶モジュール固定構造及び固定構造を提供することを目的としている。
【０００７】
【課題を解決するための手段】
上記課題を解決するために、請求項１記載の発明は、固定具を用いて液晶モジュールをその側面から固定する液晶モジュール固定構造に係り、
上記液晶モジュールを固定するための棒状の部材であって、一端が上記液晶モジュールの側面に挿入され、他端が上記液晶モジュールの上記側面から突出する態様で設けられた液晶モジュール固定部品と、
該液晶モジュール固定部品に設けられ、該液晶モジュールの平面に直交する方向から上記固定具を収容するための固定具収容穴とを備えてなることを特徴としている。
【０００８】
また、請求項２記載の発明は、請求項１記載の液晶モジュール固定構造に係り、上記固定具は、ネジであることを特徴としている。
【０００９】
また、請求項３記載の発明は、請求項２記載の液晶モジュール固定構造に係り、上記液晶モジュールの両側に配置された外装化粧パネル及び基本フレームを備えた液晶ディスプレイに適用されることを特徴としている。
【００１０】
また、請求項４記載の発明は、請求項３記載の液晶モジュール固定構造に係り、上記外装化粧パネルは、上記液晶モジュールを係止してその固定位置を決めるリブを有することを特徴としている。
【００１１】
また、請求項５記載の発明は、請求項３又は４記載の液晶モジュール固定構造に係り、上記基本フレームは、上記液晶モジュールの正面及び側面を囲むようにそれぞれ設けられた本体及び枠体と、該枠体から突出して設けられた台座と、該台座に設けられ上記ネジによって貫通されるネジ穴とを有することを特徴としている。
【００１２】
また、請求項６記載の発明は、請求項５記載の液晶モジュール固定構造に係り、上記液晶モジュール固定部品は、上記台座に設けられた上記ネジ穴を貫通した上記ネジを収容するネジ固定形状部を有することを特徴としている。
【００１３】
また、請求項７記載の発明は、請求項５記載の液晶モジュール固定構造に係り、上記液晶モジュール固定部品は、上記台座に設けられた上記ネジ穴を貫通した上記ネジをさらに貫通させるネジ穴を有し、上記外装化粧パネルは、上記ネジ穴を貫通したネジを収容するネジ固定形状部を有することを特徴としている。
【００１４】
また、請求項８記載の発明は、請求項６又は７記載の液晶モジュール固定構造に係り、上記液晶モジュール固定部品は、上記ネジが上記ネジ固定形状部に到達する前に設けられたすり鉢状の傾斜面を有し、該傾斜面により、上記ネジが上記ネジ固定形状部に収容される際に、上記液晶モジュールの方へ近づくように摺動可能であることを特徴としている。
【００１５】
また、請求項９記載の発明は、請求項８記載の液晶モジュール固定構造に係り、上記すり鉢状の傾斜面の中心は、上記ネジの軸心よりも外側に配置され、かつ、上記すり鉢状の傾斜面の開口部は、上記ネジの外側を含むように形成されていることを特徴としている。
【００１６】
また、請求項１０記載の発明は、請求項９記載の液晶モジュール固定構造に係り、上記すり鉢状の傾斜面と上記枠体との間に配置され、上記固定部材に巻き付けられたスプリングを備え、該スプリングの弾性力により、上記ネジの進行と共に上記固定部材が上記ネジ固定形状部に挿入されるように構成されていることを特徴としている。
【００１７】
また、請求項１１記載の発明は、請求項１０記載の液晶モジュール固定構造に係り、上記スプリングは、コイルスプリング又は板状スプリングであることを特徴としている。
【００１８】
また、請求項１２記載の発明は、請求項３乃至１１のいずれか１に記載の液晶モジュール固定構造に係り、上記液晶モジュールと上記液晶モジュール固定部品との間に隙間が形成され、取り付けの際に支障がないように構成されていることを特徴としている。
【００１９】
また、請求項１３記載の発明は、請求項１２記載の液晶モジュール固定構造に係り、上記液晶ディスプレイは、上記基本フレームの後部に配置された制御基板を備え、上記液晶モジュールを上記基本フレームに固定する第１のネジの固定方向と、上記制御基板を上記基本フレームに固定する第２のネジの固定方向と、上記基本フレームを上記外装化粧パネルに固定する第３のネジの固定方向とが同一方向であることを特徴としている。
【００２０】
また、請求項１４記載の発明は、固定具を用いて液晶モジュールをその側面から固定する液晶モジュール固定方法に係り、
上記液晶モジュールを固定するための棒状の部材であって、一端が上記液晶モジュールの側面に挿入され、他端が上記液晶モジュールの上記側面から突出する態様で設けられた液晶モジュール固定部品を配置し、
該液晶モジュール固定部品に、該液晶モジュールの平面に直交する方向から上記固定具を収容するための固定具収容穴を形成したことを特徴としている。
【００２１】
また、請求項１５記載の発明は、請求項１４記載の液晶モジュール固定方法に係り、上記固定具は、ネジであることを特徴としている。
【００２２】
また、請求項１６記載の発明は、請求項１５記載の液晶モジュール固定方法に係り、上記液晶モジュールの両側に配置された外装化粧パネル及び基本フレームを備えた液晶ディスプレイに適用することを特徴としている。
【００２３】
また、請求項１７記載の発明は、請求項１６記載の液晶モジュール固定方法に係り、上記外装化粧パネルに、上記液晶モジュールを係止してその固定位置を決めるリブを設けることを特徴としている。
【００２４】
また、請求項１８記載の発明は、請求項１７記載の液晶モジュール固定方法に係り、上記基本フレームに、上記液晶モジュールの正面及び側面を囲む本体及び枠体と、該枠体から突出する台座と、該台座に設けられ上記ネジによって貫通されるネジ穴とを設けることを特徴としている。
【００２５】
また、請求項１９記載の発明は、請求項１８記載の液晶モジュール固定方法に係り、上記液晶モジュール固定部品に、上記台座に設けられた上記ネジ穴を貫通した上記ネジを収容するネジ固定形状部を設けることを特徴としている。
【００２６】
また、請求項２０記載の発明は、請求項１８記載の液晶モジュール固定方法に係り、上記液晶モジュール固定部品に、上記台座に設けられた上記ネジ穴を貫通した上記ネジをさらに貫通させるネジ穴を設け、上記外装化粧パネルに、上記ネジ穴を貫通したネジを収容するネジ固定形状部を設けることを特徴としている。
【００２７】
また、請求項２１記載の発明は、請求項１９又は２０記載の液晶モジュール固定方法に係り、上記液晶モジュール固定部品に、上記ネジが上記ネジ固定形状部に到達する前に配置されるすり鉢状の傾斜面を設け、該傾斜面により、上記ネジが上記ネジ固定形状部に収容される際に、上記液晶モジュールの方へ近づくように摺動可能であることを特徴としている。
【００２８】
また、請求項２２記載の発明は、請求項２１記載の液晶モジュール固定方法に係り、上記すり鉢状の傾斜面の中心を、上記ネジの軸心よりも外側に配置し、かつ、上記すり鉢状の傾斜面の開口部を、上記ネジの外側を含むように形成することを特徴としている。
【００２９】
また、請求項２３記載の発明は、請求項２２記載の液晶モジュール固定方法に係り、上記すり鉢状の傾斜面と上記枠体との間に、上記固定部材に巻き付けられたスプリングを配置し、該スプリングの弾性力により、上記ネジの進行と共に上記固定部材が上記ネジ固定形状部に挿入されるようにしたことを特徴としている。
【００３０】
また、請求項２４記載の発明は、請求項２３記載の液晶モジュール固定方法に係り、上記スプリングは、コイルスプリング又は板状スプリングであることを特徴としている。
【００３１】
また、請求項２５記載の発明は、請求項１６乃至２４のいずれか１に記載の液晶モジュール固定方法に係り、上記液晶モジュールと上記液晶モジュール固定部品との間に隙間を形成し、取り付けの際に支障がないようにしたことを特徴としている。
【００３２】
また、請求項２６記載の発明は、請求項１６乃至２５のいずれか１に記載の液晶モジュール固定方法に係り、上記液晶ディスプレイは、上記基本フレームの後部に配置された制御基板を備え、上記液晶モジュールを上記基本フレームに固定する第１のネジの固定方向と、上記制御基板を上記基本フレームに固定する第２のネジの固定方向と、上記基本フレームを上記外装化粧パネルに固定する第３のネジの固定方向とが同一方向であることを特徴としている。
【００３３】
【発明の実施の形態】
以下、図面を参照してこの発明の実施の形態について詳細に説明する。説明は実施例を用いて具体的に説明する。
◇第１実施例
まず、図１及び図２を参照して、この発明の第１実施例である液晶モジュール固定構造について説明する。
図１は、この発明の第１実施例である液晶モジュール固定構造に係る液晶ディスプレイの構成を示す分解斜視図であり、図２は、図１のＡ−Ａ断面図である。
この例の液晶モジュール固定構造に係る液晶ディスプレイは、図１に示すように、最前列に配置される外装化粧パネル４と、外装化粧パネル４の後方に配置される液晶モジュール３と、液晶モジュール３の後方に配置される基本フレーム１と、基本フレーム１の後方に配置される制御基板２とを備えている。液晶モジュール３、基本フレーム１，外装化粧パネル４は、ほぼ同じ大きさの略矩形の形状を有し、基本フレーム１と外装化粧パネル４との間に液晶モジュール３が挟まれている。制御基板２は、基本フレーム１，液晶モジュール３，外装化粧パネル４と比較して小さい略矩形の形状を有し、基本フレーム１の後方に配置されている。
【００３４】
また、基本フレーム１，制御基板２，液晶モジュール３，外装化粧パネル４を固定する固定ネジとしては、第１乃至第３のネジを備え、第１のネジ５ａは、基本フレーム１と液晶モジュール３とを固定し、第２のネジ５ｂは、制御基板２と基本フレーム１とを固定し、第３のネジ５ｃは、基本フレーム１から液晶モジュール３を通り、外装化粧パネルまで固定している。ここで、第１のネジ５ａは、基本フレーム１の両側面の所定の箇所に設けられた台座１ａと、液晶モジュール３の両側面の所定の箇所に配置された液晶モジュール固定部品６とを通って、基本フレーム１と液晶モジュール３とを固定している。
【００３５】
次に、図２を参照して、この発明の第１実施例である液晶モジュール固定構造の各部の構成について説明する。
【００３６】
基本フレーム１は、液晶モジュール３の後部に配置され、液晶モジュール３と平行な本体と、その縁部全体に形成された枠体とを有し、本体と枠体とに囲まれた部分に液晶モジュール３を収容する。また、基本フレーム１は、枠体から本体とほぼ平行に突出された台座１ａと、第１のネジ５ａを通過させるために台座１ａに設けられたネジ穴１ｂとを備える。
【００３７】
液晶モジュール固定部品６は、液晶モジュール３の側面に挿入され、台座１ａに設けられたネジ穴１ｂを貫通している第１のネジ５ａを受け入れるネジ固定形状部６ａと、ネジ固定形状部６ａに繋がるように設けられ、第１のネジ５ａを受け入れ易いように、傾斜してすり鉢状に形成された傾斜面６ｂと、液晶モジュール３に挿入される先端部６ｃとを有している。また、ネジ固定形状部６ａ，傾斜面６ｂと、先端部６ｃとの間にはスプリング７が配置されている。すり鉢状の傾斜面６ｂの中心軸は、第１のネジ５ａの軸心よりも外側に配置され、固定ネジ８がネジ固定形状部６ａに挿入されるに従って液晶モジュール固定部品６が液晶モジュール３の側面に近づくように構成されている。
【００３８】
液晶モジュール３は、液晶モジュール固定部品６の先端６ｃが挿入される固定部品収容穴３ａを有している。この構成により、第１のネジ５ａの挿入と共に液晶モジュール固定部品６が液晶モジュールの方に近づき、液晶モジュール固定部品６の先端６ｃが液晶モジュール３の固定部品収容穴３ａの中に収容される。その際、液晶モジュール固定部品６の周囲に配置されたスプリング７により、外力による摺動機構が構成され、第１のネジ５ａをネジ固定形状部６ａに収容すると共に液晶モジュール固定部品６を液晶モジュール３の方に近づけるようにしている。
【００３９】
一方、外装化粧パネル４には、液晶モジュール３を係止して液晶モジュールの固定位置を決めるためのリブ４ａが設けられている。また、液晶モジュール３と液晶モジュール固定部品６との間には、取り付ける際に支障がないように、隙間９を保つような位置関係になっている。
【００４０】
次に、図１及び図２を参照して、この発明の第１実施例である液晶モジュール固定構造の動作について説明する。
まず、外装化粧パネル４に液晶モジュール３を取り付ける。この時、外装化粧化パネル４に設けられたリブ４ａにより、液晶モジュール３の固定位置が決まる。次に、液晶モジュール固定部品６及びスプリング７が取り付けられた基本フレーム１を配置するが、その際、液晶モジュール３と液晶モジュール固定部品６との隙間９により、取り付ける際の支障がないようにしている。
【００４１】
この状態で、第１のネジ５ａを基本フレーム１のネジ穴１ｂを通しネジ固定していき、第１のネジ５ａの先端が、液晶モジュール固定部品６の傾斜面６ｂに摺動することにより、液晶モジュール固定部品６が、矢印１０の方向に動き、液晶モジュール固定部品６の先端６ｃが、液晶モジュール３の側面に設けられた固定部品収容穴３ａに入り込む。ここまでで、液晶モジュール３と基本フレーム１とが完全に固定される。
【００４２】
最後に、第２のネジ５ｂを用いて、制御基板２と基本フレーム１とを固定し、第３のネジ５ｃを用いて、基本フレーム１から液晶モジュール３を通り、外装化粧パネルまで固定する。この例の液晶モジュール固定構造では、第２のネジ５ｂ及び第３のネジ５ｃも、第１のネジ５ａと同一の方向からの固定となる。従って、ネジ固定の方向を統一することができる。
【００４３】
以上説明したように、この例の液晶モジュール固定構造の構成によれば、固定部品収容穴３ａが側面に設置されている液晶モジュール３を液晶ディスプレイに固定する場合、ネジを固定する方向が１方向に統一できるため、ネジ固定の自動化装置の設備投資を必要最小限に抑えることができ、組立作業性を向上させ、製造費を削減することができる。
【００４４】
◇第２実施例
次に、図３及び図４を参照して、この発明の第２実施例の構成について説明する。
【００４５】
図３は、この発明の第２実施例である液晶モジュール固定構造の構成を示す分解斜視図であり、図４は、図３のＢ−Ｂ断面図である。
この例の固定構造に係る液晶ディスプレイは、図３に示すように、最前列に配置される外装化粧パネル４０と、外装化粧パネル４０の後に配置される液晶モジュール３と、液晶モジュール３の後に配置される基本フレーム１と、基本フレーム１の後に配置される制御基板２とを備えている。液晶モジュール３、基本フレーム１，外装化粧パネル４０は、ほぼ同じ大きさの略矩形の形状を有し、基本フレーム１と外装化粧パネル４との間に液晶モジュール３が挟まれている。制御基板２は、小さい略矩形の形状を有し、基本フレーム１の後方に配置されている。
【００４６】
また、基本フレーム１，制御基板２，液晶モジュール３，外装化粧パネル４０を固定する固定ネジとしては、第１のネジ５ａ及び第２のネジ５ｂを備え、前述した第１実施例で用いた第３のネジ５ｃは備えていない。第１のネジ５ａは、前述した第１実施例では、基本フレーム１と液晶モジュール３とを固定したが、この実施例では、基本フレーム１を通り外装化粧パネル４０を固定している。また、第２のネジ５ｂは、前述した第１実施例と同様に、制御基板２と基本フレーム１とを固定している。すなわち、基本フレーム１から液晶モジュール３を通り外装化粧パネル４０を固定するネジとして、前述した第１実施例では第３のネジ５ｃを用いたが、この実施例では、第１のネジ５ａを用いている点で異なる。また、基本フレーム１は、両側面に台座１ａを備え、液晶モジュール３にネジを固定するための液晶モジュール固定部品（図示せず）を備えている。
【００４７】
次に、図４を参照して、この発明の第２実施例である液晶モジュール固定構造の各部の構成について説明する。
基本フレーム１は、液晶モジュール３の後方に配置され、液晶モジュール３と平行な本体とその縁部全体に形成された枠体とを有し、本体と枠体とに囲まれた部分に液晶モジュール３を収容する。また、枠体から本体とほぼ並行に突出され、第１のネジ５ａを受けるための台座１ａと、台座１ａに設けられ、第１のネジ５ａを貫通させるためのネジ穴１ｂを有する。
【００４８】
液晶モジュール固定部品６０は、液晶モジュール３の側面に挿入され、第１のネジ５ａを受け入れ易いように、傾斜してすり鉢状に形成された傾斜面６０ｂと、傾斜面６０ｂの下に第１のネジ５ａを貫通させるネジ穴６０ｄと、液晶モジュール３の側面に挿入される先端部６０ｃとを有する。すり鉢状の傾斜面６０ｂの中心軸は、第１のネジ５ａの軸心よりも外側に配置され、第１のネジ５ａが傾斜面６０ｂに挿入されるに従って液晶モジュール固定部品６０が液晶モジュール３の側面に近づき、さらに第１のネジ５ａを挿入すると、ネジ穴６０ｄを貫通するように形成されている。また、傾斜面６０ｂと先端部６０ｃとの間には、スプリング７をその周囲に巻き付け、先端部６０ｃが液晶モジュール３の固定部品収容穴３ａに収容されやすいように構成されている。また、液晶モジュール３と液晶モジュール固定部品６０との間には、取り付ける際に支障がないように、隙間９を保つような位置関係になっている。
【００４９】
液晶モジュール３は、液晶モジュール固定部品６０の先端部６０ｃが挿入される固定部品収容穴３ａを有している。この構成により、第１のネジ５ａの挿入と共に液晶モジュール固定部品６０が液晶モジュール３の方に近づき、液晶モジュール固定部品６０の先端部６０ｃが液晶モジュール３の固定部品収容穴３ａの中に収容される。
【００５０】
外装化粧パネル４０は、液晶モジュール固定部品６０の傾斜面６０ｂ及びネジ穴６０ｄを貫通した第１のネジ５ａを収容して固定するためのネジ固定形状部４０ｂと、液晶モジュール３を係止して固定するためのリブ４０ｃとを有する。前述した第１実施例では、液晶モジュール３の外側を抑止するためにリブ４ａは、傾斜面６ｂのすぐ下に設けられたが、この実施例では、傾斜面６０ｂの下にはネジ固定形状部４０ｂが設けられ、その横にリブ４０ｃが設けられている。
【００５１】
次に、図３及び図４を参照して、この発明の第２実施例である液晶モジュール固定構造の動作について説明する。
【００５２】
まず、外装化粧パネル４０に液晶モジュール３を取り付ける。この時、外装化粧化パネル４０に設けられたリブ４０ｃにより、液晶モジュール３の固定位置が決まる。次に、液晶モジュール固定部品６０及びスプリング７が設けられた基本フレーム１を取り付けるが、液晶モジュール３と液晶モジュール固定部品６０との間の隙間９により、取り付ける際に支障がないようにしている。
【００５３】
この状態で、第１のネジ５ａを基本フレーム１のネジ穴１ｂを通しネジ固定していき、第１のネジ５ａの先端が、液晶モジュール固定部品６０の傾斜面６０ｂに摺動して収容されることにより、液晶モジュール固定部品６０が、矢印１０の方向に動き、液晶モジュール固定部品６０の先端部６０ｃが、液晶モジュール３の側面に設けられた固定部品収容穴３ａに入り込む。ここまでで、液晶モジュール３と基本フレーム１とが完全に固定される。
【００５４】
最後に、第２のネジ５ｂを用いて、基本フレーム１と制御基板２、基本フレーム１と外装化粧パネル４０を固定するが、その際、第１のネジ５ａと同一の方向からネジ固定でき、かつ、前述した第１実施例で用いた第３のネジ５ｃを省略できる。
【００５５】
以上説明したように、この例の構成によれば、ネジ固定形状部が側面に設置されている液晶モジュールを液晶ディスプレイに固定する場合、ネジを固定する方向が１方向に統一できるため、ネジ固定の自動化装置の設備投資を必要最小限に抑えることができ、組立作業性を向上させ、製造費を削減することができる。また、先に述べた実施例と比較して、基本フレーム１と外装化粧パネル４０を固定する固定ネジも削減できるため、作業性をより一層向上させる利点がある。
【００５６】
以上、この発明の実施例を図面を参照して詳述してきたが、具体的な構成はこの実施例に限られるものではなく、この発明の要旨を逸脱しない範囲の設計の変更などがあってもこの発明に含まれる。
例えば、上述の実施例においては、液晶モジュール３を液晶ディスプレイに組み込むときの固定構造について説明したが、これに限定されず、液晶モジュールを使用する他のいかなる機器にも適用できる。
【００５７】
また、上述の実施例においては、液晶モジュール固定部品６，６０の先端部６ｃ，６０ｃを液晶モジュール３の側面に挿入したが、これに限定されず、位置調整可能ならば、最初から液晶モジュール固定部品６，６０を液晶モジュール３に固定して使用しても良いし、着脱自在に取り付けることができるならば液晶モジュール３の表面に固定することもできる。
【００５８】
また、上述の実施例においては、液晶モジュール固定部品６，６０にすり鉢状の傾斜面６ｂ，６０ｂを設けることにより、第１のネジ５ａを収容しやすいように構成したが、これに限定されず、第１のネジ５の収容とともに液晶モジュール固定部品６，６０が液晶モジュール３の側面に近づくように構成することができれば、単なる斜面として形成することもできる。
【００５９】
また、上述の実施例においては、第１のネジ５ａ，第２のネジ５ｂ，第３のネジ５ｃは、図面には所定の個数示したが、これに限定されず、必要ならば多数の固定ネジを使用することもできる。なお、その際にも、固定方向は統一できる。
【００６０】
また、上述の実施例においては、液晶モジュール３の側面と液晶モジュール固定部品６，６０との間に隙間９を設けたが、これに限定されず、基本フレーム１の枠体を弾力性を有する枠体で形成し、弾性力により挿入することができれば、隙間９は、必ずしも設ける必要はない。
【００６１】
また、上述の実施例においては、スプリング７をコイルスプリングで示したが、これに限定されず、板状のスプリングを使用しても機能的には変わりがない。
【００６２】
【発明の効果】
以上説明したように、この発明の構成によれば、ネジ固定形状部が側面に設置されている液晶モジュールを、液晶ディスプレイ装置に組み込む場合、ネジ固定方向を統一することにより、ネジ固定の自動化装置の設備投資を必要最小限に抑え、組立作業性を向上させることができる。
【図面の簡単な説明】
【図１】この発明の第１実施例である液晶モジュール固定構造に係る液晶ディスプレイの構成を示す分解斜視図である。
【図２】図１のＡ−Ａ断面図である。
【図３】この発明の第２実施例である液晶モジュール固定構造に係る液晶ディスプレイの構成を示す分解斜視図である。
【図４】図３のＢ−Ｂ断面図である。
【図５】従来の液晶モジュール固定構造の構成を示す分解斜視図である。
【符号の説明】
１  基本フレーム
１ａ  台座
１ｂ  ネジ穴
２  制御基板
３  液晶モジュール
３ａ  固定部品収容穴
４，４０  外装化粧パネル
４ａ，４０ｃ  リブ
４ｂ，４０ｂ  ネジ固定形状部
５ａ  第１のネジ
５ｂ  第２のネジ
５ｃ  第３のネジ
６，６０  液晶モジュール固定部品
６ａ  ネジ固定形状部
６ｂ，６０ｂ  傾斜面
６ｃ，６０  先端部
６ｄ，６０ｄ  ネジ穴
７  スプリング
９  隙間
１０  矢印
１１  基本フレーム
１２  制御基板
１３  液晶モジュール
１４  外装化粧パネル
【図１】
0003607668.tif 000002
【図２】
0003607668.tif 000003
【図３】
0003607668.tif 000004
【図４】
0003607668.tif 000005
【図５】
0003607668.tif 000006